(57)【要約】【課題】  カードホルダーを、商品陳列棚のカードレールに対しその着脱をワンタッチで行うことができ、かつカードレールにしっかりと固定できて、身長の高低に係わらず誰にでも容易に取り扱うことができるカードホルダーを提供できるようにした。【解決手段】  カードホルダー１を、上方部寄りを背面方向に湾曲してなる透明のプレート体２と、同プレート体２の背面における上部と下部のそれぞれから同背面に沿って商品情報を表示するカードが入る空間を形成できるようにして所定の距離延伸し、かつ同プレート体２の後方に向かって突出するように接続されてなる商品陳列棚９のカードレール９ａに係着可能な先端部たる係着端部３ａ、４ａをそれぞれ有する上支持脚３と下支持脚４とより構成する。【選択図】  図１
2010051668.tif 000002
【特許請求の範囲】
【請求項１】
商品陳列棚の前面に備えるカードレールに装着して、商品情報等を表示しているカードの表示面を同棚の前方に向けて収容するカードホルダーであって、前記カードホルダーは押出成型品であって、側面から見た形状が、少なくとも上方部寄りが背面方向に湾曲してなるプレート体と、同プレート体の背面における上部と下部のそれぞれから同背面に沿って少なくとも前記カードが入る空間を形成できるようにして所定の距離延伸し、かつ同プレート体の後方に向かって突出するように接続されてなる前記カードレールに係着可能な先端部を有する上下両支持脚とより構成してなるカードホルダー。
【請求項２】
前記上下両支持脚が、プレート体との接続部付近から同支持脚における先端部付近に渡り後方に向かって凹となるように湾曲してなる請求項１に記載のカードホルダー。
【請求項３】
前記プレート体の前面における下部から、同前面に沿って少なくとも前記カードが入る空間を形成できるようにして所定の距離延伸する第２のプレート体を接続してなる請求項１に記載のカードホルダー。
【請求項４】
前記下支持脚が、プレート体の後方に向かって突出する部分の途中から前後方向に少なくとも二股に分かれて第１の下支持脚と第２の下支持脚を形成してなる請求項１に記載のカードホルダー。
【発明の詳細な説明】
【技術分野】
【０００１】
本発明は、商品陳列棚の前面に備えるカードレールに装着して、商品の名称や価格等の商品情報を表示しているカードを収容するカードホルダーに関する。
【背景技術】
【０００２】
従来、この種のカードホルダーは、商品陳列棚のカードレール内に収まる寸法で形成されているものが主であったが、例えば、特許文献１のように、商品の名称、価格、ＰＯＰ（Point of purchase advertising）等およびバーコード等による商品管理情報を含む商品情報を表示しているカードの収容部をカードレールの幅よりも大なる寸法にして、同表示内容を見やすくしているものもある。
【０００３】
しかしながら、カードの収容部を大なるものにしたことで、同カードホルダーの商品陳列棚におけるカードレールへの着脱がし難くなってしまい、特に、身長が低い店員が商品陳列棚の高所に位置する棚のカードレールに対しカードホルダーの着脱を行う際は、非常にし難くいものであった。
【０００４】
【特許文献１】特開２００２−１１２８６０号公報（第１〜５頁、第１〜７図）
【発明の開示】
【発明が解決しようとする課題】
【０００５】
本発明は、カードホルダーを、商品陳列棚のカードレールに対しその着脱をワンタッチで行うことができ、かつカードレールにしっかりと固定できて、身長の高低に係わらず誰にでも容易に取り扱うことができるカードホルダーを提供できるようにした。
【課題を解決するための手段】
【０００６】
上述した課題を解決するために、本発明に係るカードホルダーは、商品陳列棚の前面に備えるカードレールに装着して、商品情報等を表示しているカードの表示面を同棚の前方に向けて収容するカードホルダーであって、前記カードホルダーは押出成型品であって、側面から見た形状が、少なくとも上方部寄りが背面方向に湾曲してなるプレート体と、同プレート体の背面における上部と下部のそれぞれから同背面に沿って少なくとも前記カードが入る空間を形成できるようにして所定の距離延伸し、かつ同プレート体の後方に向かって突出するように接続されてなる前記カードレールに係着可能な先端部を有する上下両支持脚とより構成したものとしてある。
【０００７】
また前記上下両支持脚が、プレート体との接続部付近から同支持脚における先端部付近に渡り後方に向かって凹となるように湾曲したものとしてある。
【０００８】
また前記プレート体の前面における下部から、同前面に沿って少なくとも前記カードが入る空間を形成できるようにして所定の距離延伸する第２のプレート体を接続したものとしてある。
【０００９】
さらに前記下支持脚が、プレート体の後方に向かって突出する部分の途中から前後方向に少なくとも二股に分かれて第１の下支持脚と第２の下支持脚を形成したものとしてある。
【発明の効果】
【００１０】
本発明のカードホルダーによれば、同カードホルダーにおけるプレート体の上下両辺部をそれぞれ対向方向に押圧して同プレート体を背面方向に撓ませることにより、商品陳列棚におけるカードレールの溝に嵌着する同カードホルダーにおける上下両支持脚の先端部を開閉操作できるので、カードホルダーを、商品陳列棚のカードレールに対しその着脱をワンタッチで行うことができる。
【００１１】
そして、商品陳列棚のカードレールに対しカードホルダーを着脱する際に、カードホルダーにおけるプレート体の上下両辺部をそれぞれ対向方向に押圧して同プレート体を背面方向に撓ませる場合でも、同カードホルダーの一部が背面方向に湾曲しているので、カードホルダーの撓む方向が確定されて撓ませる操作を行い易くできる。
【００１２】
また、上述するように撓ませる方向が確定されているので、カードホルダーにおけるプレート体の上下両辺部をそれぞれ対向方向に押圧して同プレート体を背面方向に撓ませる際に、カードホルダーを割ってしまう確率を非常に小なるものにできる。
【００１３】
さらに、カードホルダーの上方部が背面方向に湾曲しているので、カードホルダーを商品陳列棚における客の目線における下方の棚に装着した場合でも、立った状態のままで目線を下方に向けることでカードホルダー内の商品情報を表示したカードを見ることができる。
【００１４】
そして、客が押しているカートが商品陳列棚に装着しているカードホルダーに接触した場合でも、同カードホルダー自体が備えるばね作用によってカートの接触による衝撃を緩和できて、カードホルダーの破損確率を非常に小なるものにできる。
【００１５】
さらには、プレート体の背面における上下両支持脚の間に有する大なる空間より商品情報を表示したカードをセットできるので、同カードのセットを行い易くできる。
【００１６】
また、請求項３に記載するカードホルダーは、カードホルダーの前面に設けている第二のカードホルダーに商品情報を表示するカードを収容できるので、商品を特売品として一時的に案内したりする場合に、この第二のカードホルダーに特売価格を表示したカードを入れることによって特売情報の案内を容易に行うことができる。
【００１７】
さらに、請求項４に記載するカードホルダーは、下支持脚を途中で前後方向に第１の下支持脚と第２の下支持脚に分けているので、同カードホルダーを商品陳列棚の高所の棚に取り付ける場合は、カードホルダーにおける上支持脚と下支持脚の前方側となる第２の下支持脚を使用して取り付けることでカードホルダーの前面が下方に向き、カードホルダーの取り付け位置よりも目線が低い客に対し、同カードホルダー内に収容している商品情報を表示したカードの表記を見え易くすることができる。
【発明を実施するための最良の形態】
【００１８】
以下、本発明のカードホルダーを添付図面に基づいて説明する。
なお、本発明のカードホルダーは、押出成型品である。
カードホルダー1は、透明素材で形成され、図１に示すように、上方部寄りが背面方向に湾曲しているプレート体２と、このプレート体２の背面に設けた上支持脚３および下支持脚４から構成している。
【００１９】
そして、これらプレート体２と上支持脚３および下支持脚４との間に有する空間、すなわち収容部２ａにおけるプレート体２の背面寄りに、商品の名称、価格、ＰＯＰ（Point of purchase advertising）等およびバーコード等による商品管理情報を含む商品情報を表示するカードを収容できるようにしている。
【００２０】
そして、前記上支持脚３および下支持脚４は、プレート体２との接続部から同プレート体２の背面に沿って少なくとも前記カードが入る空間を形成できるようにして所定の距離延伸し、続いて同上支持脚３および下支持脚４における先端部たる係着端部３ａ、４ａに渡り後方に向かって凹となるように湾曲している（図３参照）。
【００２１】
また実施例中には示していないが、上支持脚３および下支持脚４は、プレート体２との接続部から同プレート体２の背面に沿って商品情報を表示するカードが入る空間を設けて所定の距離延伸した後、前述のように湾曲ラインで係着端部３ａ、４ａに接続するのではなく、略直線ラインで係着端部３ａ、４ａに接続する場合がある。
【００２２】
そして、上支持脚３および下支持脚４の係着端部３ａ、４ａは、図６に示すように、陳列棚９に備えるカードレール９ａの溝への係着に適するように鉤の手状にしている。
【００２３】
また、このカードホルダー１には、実施例に示すように、プレート体２の前面に（図２参照）第２のプレート体５を設けて、この第２のプレート体５とプレート体２との間に有する空間、すなわち第２の収容部５ａに、商品情報を表示するカードを収容できるようにする場合がある。
【００２４】
そして、カードホルダー１に商品情報を表示したカードを収納する場合において、同カードホルダー１における収容部２ａの大きさに合わせて製作している商品情報を表示したカードは、図４に示すように、カードホルダー１の背面外方よりプレート体２と上支持脚３および下支持脚４との間に形成される空間内に、商品情報を表示している面をプレート体２の背面に向けて挿入（図４中の矢印Ａ）することにより、収容部２ａ内におけるプレート体２の背面に近接してセットできる（図４中のカード８）。実際には、プレート体２の背面に、プレート体２の側部からカードをスライドさせて挿入することが多い。
【００２５】
セットしたカード８は、同カード８の上方部と下方部のそれぞれが、上支持脚３および下支持脚４のプレート体２との接続部付近における同上支持脚３および下支持脚４のプレート体２側に位置する面と、この面に対向するプレート体２の背面とにより保持されて、カード８の商品情報を表示している面を、透明素材で形成しているプレート体２を透し同プレート体２の前面側より見ることができる。
【００２６】
また、カードホルダー１における収容部５ａの大きさに合わせて製作している商品情報を表示したカードを収納する場合は、同じく図４に示すように、カードホルダー１の前面外方よりプレート体２と第２のプレート体５との間に形成される空間内に、商品情報を表示している面を第２のプレート体５の背面に向けて挿入（図４中の矢印Ｂ）することにより、収容部５ａ内にセットできる（図４中のカード８ａ）。
【００２７】
セットしたカード８ａは、同カード８ａのほぼ全体がプレート体２の前面と第２のプレート体５の背面とにより保持されて、カード８ａの商品情報を表示している面を、透明素材で形成している第２のプレート体５を透し同第２のプレート体５の前面側より見ることができる。
【００２８】
そして、商品陳列棚のカードレールに本発明に係るカードホルダー１を装着する場合は、図５に示すように、指でプレート体２の上辺部２ｂと下辺部２ｃを挟み同上辺部２ｂと下辺部２ｃをそれぞれが接近する方向に押圧して（図５中の矢印Ｃ）同プレート体２を背面方向に撓ませる（図５中の矢印Ｄ）ことにより連動する上支持脚３の先端部たる係着端部３ａを下支持脚４の先端部たる係着端部４ａ方向に移動させる（図５中の矢印Ｅ）。
【００２９】
次いで、この状態のまま、図６に示すように、上支持脚３の先端部たる係着端部３ａと下支持脚４の先端部たる係着端部４ａを商品陳列棚９のカードレール９ａ内に位置させ、プレート体２の上辺部２ｂと下辺部２ｃを挟んで同上辺部２ｂと下辺部２ｃをそれぞれが接近する方向に押圧している指の押圧力を緩めてプレート体２における上支持脚３の先端部たる係着端部３ａと下支持脚４の先端部たる係着端部４ａを商品陳列棚９におけるカードレール９ａの両溝にそれぞれ進入させることにより、同カードレール９ａの両溝と上支持脚３の係着端部３ａと下支持脚４の係着端部４ａとが係着してカードホルダー１が商品陳列棚９のカードレール９ａに装着することができる。
【００３０】
また、商品陳列棚９のカードレール９ａに装着しているカードホルダー１を取り外す場合は、指でカードホルダー１におけるプレート体２の上辺部２ｂと下辺部２ｃを挟み同上辺部２ｂと下辺部２ｃをそれぞれが接近する方向に押圧して同プレート体２を背面方向に撓ませることにより連動する上支持脚３の先端部たる係着端部３ａを下支持脚４の先端部たる係着端部４ａ方向に移動させて、商品陳列棚９のカードレール９ａの両溝にそれぞれ係着している上支持脚３の先端部たる係着端部３ａを下支持脚４の先端部たる係着端部４ａの前記カードレール９ａの両溝との係着を解除することにより取り外すことができる。
【００３１】
また実施例中には示していないが、カードホルダー１におけるプレート体２の上方部寄りとともに下方部寄りも背面方向に湾曲させて、商品陳列棚９のカードレール９ａに対する着脱の際、指でプレート体２の上辺部２ｂと下辺部２ｃを挟み同上辺部２ｂと下辺部２ｃをそれぞれが接近する方向に押圧した際にプレート体２の上方部寄りとともに下方部寄りも背面方向に撓むようにして、この動作に連動して上支持脚３の先端部たる係着端部３ａとともに下支持脚４の先端部たる係着端部４ａが互いに接近する方向に移動させるようにする場合もある。
【００３２】
そして、図８に示すように、カードホルダー１ａの下支持脚４を途中から前後方向に二股に分けて第１の下支持脚６と第２の下支持脚７を配設する場合がある。
【００３３】
すなわち、カードホルダー１ａを商品陳列棚に取り付ける場合、カードホルダー１ａにおける上支持脚３と下支持脚４の後方側となる第１の下支持脚６を使用して商品陳列棚に取り付けると、図９に示すように、カードホルダー１ａにおけるプレート体２の平坦面部分が略水平方向を向いて、前述する下支持脚４が二股に分かれていないカードホルダー１を商品陳列棚に取り付けた場合と同じように通常の取り付けとなる。
【００３４】
一方、カードホルダー１ａにおける上支持脚３と下支持脚４の前方側となる第２の下支持脚７を使用して取り付けると、図１０に示すように、カードホルダー１ａにおけるプレート体２の平坦面部分が下方向を向いて、カードホルダー１ａの取り付け位置よりも目線が低い客に対し、同カードホルダー１ａ内に収容している商品情報を表示したカードの表記を見え易くした取り付けができて、商品陳列棚の高所の棚に取り付ける場合に適する。
【００３５】
本実施例ではカードホルダー１を透明素材で構成しているが、不透明あるいは半透明の素材で構成する場合もある。
【００３６】
また、プレート体２の背面にカード８を挿入して使用するだけではなく、プレート体２の収容部２ａの大きさに係わらず、任意の大きさのカードを、プレート体２の前面にカードを貼り付けたり、プレート体２の前面にある第２の収容部５ａ内にカードを差し込んで使用する場合もある。
【００３７】
さらに、カードホルダー１のプレート体２、上支持脚３、下支持脚４、第２のプレート体５の全てあるいは一部を別部品で構成して接着により組み立てて完成品とする場合もある。
【図面の簡単な説明】
【００３８】
【図１】本発明に係るカードホルダーを後方から示す斜視図。
【図２】本発明に係るカードホルダーを前方から示す斜視図。
【図３】本発明に係るカードホルダーを側面から示す図。
【図４】カードをセットした状態を示すカードホルダーの側面図。
【図５】カードホルダーの取り扱い方法を示すカードホルダーを側面から見た図。
【図６】陳列棚に装着した状態のカードホルダーを示す陳列棚を側面から見た図。
【図７】図６に示した陳列棚に装着した状態のカードホルダーの斜視図。
【図８】カードホルダーの他形態を示すカードホルダーの側面図。
【図９】陳列棚に装着した状態の図８のカードホルダーを示した陳列棚を側面から見た図。
【図１０】陳列棚に装着した状態の図８のカードホルダーを示した陳列棚を側面から見た図。
【符号の説明】
【００３９】
１  カードホルダー
１ａ  カードホルダー
２  プレート体
２ａ  収容部
２ｂ  上辺部
２ｃ  下辺部
３  上支持脚
３ａ  係着端部
４  下支持脚
４ａ  係着端部
５  第２のプレート体
５ａ  第２の収容部
６  第１の下支持脚
６ａ  係着端部
７  第２の下支持脚
７ａ  係着端部
８  カード
８ａ  カード
９  陳列棚
９ａ  カードレール
【図１】
2010051668.tif 000003
【図２】
2010051668.tif 000004
【図３】
2010051668.tif 000005
【図４】
2010051668.tif 000006
【図５】
2010051668.tif 000007
【図６】
2010051668.tif 000008
【図７】
2010051668.tif 000009
【図８】
2010051668.tif 000010
【図９】
2010051668.tif 000011
【図１０】
2010051668.tif 000012